(57)【特許請求の範囲】
【請求項１】
無線通信のための方法であって、
第１および第２のダウンリンク制御情報（ＤＣＩ）フォーマットの第１のサイズを決定することと、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定することと、ここで、前記第３のＤＣＩフォーマットにおける情報ビット数は、前記第１のＤＣＩフォーマットにおける情報ビット数よりも多い、
前記第２のＤＣＩフォーマットのサイズを前記第２のサイズに合うように調節し、第４のＤＣＩフォーマットを取得することと、
前記第１、第２、第３、または第４のＤＣＩフォーマットのうちの１つを用いてＤＣＩメッセージを生成することと、
前記ＤＣＩメッセージを送信することと、を備える方法。
【請求項２】
前記調節し、取得することは、１または複数のゼロ・ビットを前記第２のＤＣＩフォーマットに加えることによって実行される、請求項１に記載の方法。
【請求項３】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項１に記載の方法。
【請求項４】
前記第２のアップリンク動作は、クラスタ・アップリンク・リソース割当動作を備える、請求項１に記載の方法。
【請求項５】
前記第３のＤＣＩフォーマットは、単一のコードワードにおける前記第１のアップリンク動作と前記第２のアップリンク動作との両方についての情報を伝送する、請求項１に記載の方法。
【請求項６】
前記第１のサイズは、共通の探索空間にのみ存在し、前記第２のサイズは、ユーザ機器（ＵＥ）特有の探索空間においてのみ存在する、請求項１に記載の方法。
【請求項７】
前記第１のサイズは、共通の探索空間とユーザ機器（ＵＥ）特有の探索空間との両方に存在し、前記第２のサイズは、ＵＥ特有の探索空間においてのみ存在する、請求項１に記載の方法。
【請求項８】
無線通信のための方法であって、
ダウンリンク制御情報（ＤＣＩ）メッセージを受信することと、
前記ＤＣＩメッセージにおける情報を抽出することと、
前記抽出された情報を用いてアップリンク信号を送信することとを備え、
前記ＤＣＩメッセージは、第１、第２、第３、または第４のＤＣＩフォーマットのうちの１つを用い、前記第１および第２のＤＣＩフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致するように調節され、前記第３のＤＣＩフォーマットにおける情報ビット数が、前記第１のＤＣＩフォーマットにおける情報ビット数よりも多い、方法。
【請求項９】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項８に記載の方法。
【請求項１０】
前記第２のアップリンク動作は、クラスタ・アップリンク・リソース割当動作を備える、請求項８に記載の方法。
【請求項１１】
前記第３のＤＣＩフォーマットは、単一のコードワードにおける前記第１のアップリンク動作と前記第２のアップリンク動作との両方についての情報を伝送する、請求項８に記載の方法。
【請求項１２】
前記第１のサイズは、共通の探索空間にのみ存在し、前記第２のサイズは、ユーザ機器（ＵＥ）特有の探索空間においてのみ存在する、請求項８に記載の方法。
【請求項１３】
前記第１のサイズは、共通の探索空間とユーザ機器（ＵＥ）特有の探索空間との両方に存在し、前記第２のサイズは、ＵＥ特有の探索空間においてのみ存在する、請求項８に記載の方法。
【請求項１４】
前記ＤＣＩメッセージにおける情報は、ブラインド復号によって抽出される、請求項８に記載の方法。
【請求項１５】
無線通信のための装置であって、
第１および第２のダウンリンク制御情報（ＤＣＩ）フォーマットの第１のサイズを決定する手段と、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定する手段と、ここで、前記第３のＤＣＩフォーマットにおける情報ビット数は、前記第１のＤＣＩフォーマットにおける情報ビット数よりも多い、
前記第２のＤＣＩフォーマットのサイズを前記第２のサイズに合うように調節し、第４のＤＣＩフォーマットを取得する手段と、
前記第１、第２、第３、および第４のＤＣＩフォーマットのうちの１つを用いてＤＣＩメッセージを生成する手段と、
前記ＤＣＩメッセージを送信する手段と、を備える装置。
【請求項１６】
前記調節し、取得する手段は、１または複数のゼロ・ビットを前記第２のＤＣＩフォーマットに加える手段を備える、請求項１５に記載の装置。
【請求項１７】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項１５に記載の装置。
【請求項１８】
前記第２のアップリンク動作は、クラスタ・アップリンク・リソース割当動作を備える、請求項１５に記載の装置。
【請求項１９】
前記第３のＤＣＩフォーマットは、単一のコードワードにおける前記第１のアップリンク動作と前記第２のアップリンク動作との両方についての情報を伝送する、請求項１５に記載の装置。
【請求項２０】
前記第１のサイズは、共通の探索空間にのみ存在し、前記第２のサイズは、ユーザ機器（ＵＥ）特有の探索空間においてのみ存在する、請求項１５に記載の装置。
【請求項２１】
前記第１のサイズは、共通の探索空間とユーザ機器（ＵＥ）特有の探索空間との両方に存在し、前記第２のサイズは、ＵＥ特有の探索空間においてのみ存在する、請求項１５に記載の装置。
【請求項２２】
無線通信のための装置であって、
ダウンリンク制御情報（ＤＣＩ）メッセージを受信する手段と、
前記ＤＣＩメッセージにおける情報を抽出する手段と、
前記抽出された情報を用いてアップリンク信号を送信する手段とを備え、
前記ＤＣＩメッセージは、第１、第２、第３、または第４のＤＣＩフォーマットのうちの１つを用い、前記第１および第２のＤＣＩフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致するように調節され、前記第３のＤＣＩフォーマットにおける情報ビット数が、前記第１のＤＣＩフォーマットにおける情報ビット数よりも多い、装置。
【請求項２３】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項２２に記載の装置。
【請求項２４】
前記第２のアップリンク動作は、クラスタ・アップリンク・リソース割当動作を備える、請求項２２に記載の装置。
【請求項２５】
前記第３のＤＣＩフォーマットは、単一のコードワードにおける前記第１のアップリンク動作と前記第２のアップリンク動作との両方についての情報を伝送する、請求項２２に記載の装置。
【請求項２６】
前記第１のサイズは、共通の探索空間にのみ存在し、前記第２のサイズは、ユーザ機器（ＵＥ）特有の探索空間においてのみ存在する、請求項２２に記載の装置。
【請求項２７】
前記第１のサイズは、共通の探索空間とユーザ機器（ＵＥ）特有の探索空間との両方に存在し、前記第２のサイズは、ＵＥ特有の探索空間においてのみ存在する、請求項２２に記載の装置。
【請求項２８】
前記ＤＣＩメッセージにおける情報は、ブラインド復号によって抽出される、請求項２２に記載の装置。
【請求項２９】
無線通信のための装置であって、
第１および第２のダウンリンク制御情報（ＤＣＩ）フォーマットの第１のサイズを決定し、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定し、ここで、前記第３のＤＣＩフォーマットにおける情報ビット数が、前記第１のＤＣＩフォーマットにおける情報ビット数よりも多い、
前記第２のＤＣＩフォーマットのサイズを前記第２のサイズに一致するように調節し、第４のＤＣＩフォーマットを取得し、
前記第１、第２、第３、または第４のＤＣＩフォーマットのうちの１つを用いてＤＣＩメッセージを生成し、
前記ＤＣＩメッセージを送信する、ように構成された少なくとも１つのプロセッサと、
前記少なくとも１つのプロセッサに接続されたメモリと、を備える装置。
【請求項３０】
前記少なくとも１つのプロセッサはさらに、前記第２のＤＣＩフォーマットに１または複数のゼロ・ビットを加えるように構成された、請求項２９に記載の装置。
【請求項３１】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項２９に記載の装置。
【請求項３２】
前記第２のアップリンク動作は、クラスタ・アップリンク・リソース割当動作を備える、請求項２９に記載の装置。
【請求項３３】
前記第３のＤＣＩフォーマットは、単一のコードワードにおける前記第１のアップリンク動作と前記第２のアップリンク動作との両方についての情報を伝送する、請求項２９に記載の装置。
【請求項３４】
前記第１のサイズは、共通の探索空間にのみ存在し、前記第２のサイズは、ユーザ機器（ＵＥ）特有の探索空間においてのみ存在する、請求項２９に記載の装置。
【請求項３５】
前記第１のサイズは、共通の探索空間とユーザ機器（ＵＥ）特有の探索空間との両方に存在し、前記第２のサイズは、ＵＥ特有の探索空間においてのみ存在する、請求項２９に記載の装置。
【請求項３６】
無線通信のための装置であって、
ダウンリンク制御情報（ＤＣＩ）メッセージを受信し、
前記ＤＣＩメッセージにおける情報を抽出し、
前記抽出された情報を用いてアップリンク信号を送信する、ように構成された少なくとも１つのプロセッサと、
前記少なくとも１つのプロセッサに接続されたメモリとを備え、
前記ＤＣＩメッセージは、第１、第２、第３、または第４のＤＣＩフォーマットのうちの１つを用い、前記第１および第２のＤＣＩフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致するように調節され、前記第３のＤＣＩフォーマットにおける情報ビット数が、前記第１のＤＣＩフォーマットにおける情報ビット数よりも多い、装置。
【請求項３７】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項３６に記載の装置。
【請求項３８】
前記第２のアップリンク動作は、クラスタ・アップリンク・リソース割当動作を備える、請求項３６に記載の装置。
【請求項３９】
前記第３のＤＣＩフォーマットは、単一のコードワードにおける前記第１のアップリンク動作と前記第２のアップリンク動作との両方についての情報を伝送する、請求項３６に記載の装置。
【請求項４０】
前記第１のサイズは、共通の探索空間にのみ存在し、前記第２のサイズは、ユーザ機器（ＵＥ）特有の探索空間においてのみ存在する、請求項３６に記載の装置。
【請求項４１】
前記第１のサイズは、共通の探索空間とユーザ機器（ＵＥ）特有の探索空間との両方に存在し、前記第２のサイズは、ＵＥ特有の探索空間においてのみ存在する、請求項３６に記載の装置。
【請求項４２】
前記ＤＣＩメッセージにおける情報は、ブラインド復号によって抽出される、請求項３６に記載の装置。
【請求項４３】
記録された命令群を有するコンピュータ読取可能な記録媒体であって、
前記命令群は、１または複数のプロセッサによって実行可能であり、前記命令群は、
第１および第２のダウンリンク制御情報（ＤＣＩ）フォーマットの第１のサイズを決定するための命令群と、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定するための命令群と、ここで、前記第３のＤＣＩフォーマットにおける情報ビット数は、前記第１のＤＣＩフォーマットにおける情報ビット数よりも多い、
前記第２のＤＣＩフォーマットのサイズを前記第２のサイズに合うように調節し、第４のＤＣＩフォーマットを取得するための命令群と、
前記第１、第２、第３、または第４のＤＣＩフォーマットのうちの１つを用いてＤＣＩメッセージを生成するための命令群と、
前記ＤＣＩメッセージを送信するための命令群と、を備えるコンピュータ読取可能な記録媒体。
【請求項４４】
前記調節し、取得するための命令群は、前記第２のＤＣＩフォーマットに１または複数のゼロ・ビットを加えるための命令群を備える、請求項４３に記載のコンピュータ読取可能な記録媒体。
【請求項４５】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項４３に記載のコンピュータ読取可能な記録媒体。
【請求項４６】
前記第２のアップリンク動作は、クラスタ・アップリンク・リソース割当動作を備える、請求項４３に記載のコンピュータ読取可能な記録媒体。
【請求項４７】
前記第３のＤＣＩフォーマットは、単一のコードワードにおける前記第１のアップリンク動作と前記第２のアップリンク動作との両方についての情報を伝送する、請求項４３に記載のコンピュータ読取可能な記録媒体。
【請求項４８】
前記第１のサイズは、共通の探索空間にのみ存在し、前記第２のサイズは、ユーザ機器（ＵＥ）特有の探索空間においてのみ存在する、請求項４３に記載のコンピュータ読取可能な記録媒体。
【請求項４９】
前記第１のサイズは、共通の探索空間とユーザ機器（ＵＥ）特有の探索空間との両方に存在し、前記第２のサイズは、ＵＥ特有の探索空間においてのみ存在する、請求項４３に記載のコンピュータ読取可能な記録媒体。
【請求項５０】
記録された命令群を有するコンピュータ読取可能な記録媒体であって、
前記命令群は、１または複数のプロセッサによって実行可能であり、前記命令群は、
ダウンリンク制御情報（ＤＣＩ）メッセージを受信するための命令群と、
前記ＤＣＩメッセージにおける情報を抽出するための命令群と、
前記抽出された情報を用いてアップリンク信号を送信するための命令群とを備え、
前記ＤＣＩメッセージは、第１、第２、第３、または第４のＤＣＩフォーマットのうちの１つを用い、前記第１および第２のＤＣＩフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致するように調節され、前記第３のＤＣＩフォーマットにおける情報ビット数が、前記第１のＤＣＩフォーマットにおける情報ビット数よりも多い、コンピュータ読取可能な記録媒体。
【請求項５１】
前記第１のＤＣＩフォーマットは、ロング・ターム・イボリューション（ＬＴＥ）規格におけるフォーマット０を備え、前記第２のＤＣＩフォーマットは、前記規格におけるフォーマット１Ａを備える、請求項５０に記載のコンピュータ読取可能な記録媒体。
【請求項５２】
前記第２のアップリンク動作は、クラスタ・アップリンク・リソース割当動作を備える、請求項５０に記載のコンピュータ読取可能な記録媒体。
【請求項５３】
前記第３のＤＣＩフォーマットは、単一のコードワードにおける前記第１のアップリンク動作と前記第２のアップリンク動作との両方についての情報を伝送する、請求項５０に記載のコンピュータ読取可能な記録媒体。
【請求項５４】
前記第１のサイズは、共通の探索空間にのみ存在し、前記第２のサイズは、ユーザ機器
（ＵＥ）特有の探索空間においてのみ存在する、請求項５０に記載のコンピュータ読取可能な記録媒体。
【請求項５５】
前記第１のサイズは、共通の探索空間とユーザ機器（ＵＥ）特有の探索空間との両方に存在し、前記第２のサイズは、ＵＥ特有の探索空間においてのみ存在する、請求項５０に記載のコンピュータ読取可能な記録媒体。
【請求項５６】
前記ＤＣＩメッセージにおける情報は、ブラインド復号によって抽出される、請求項５０に記載のコンピュータ読取可能な記録媒体。
【発明の詳細な説明】
【優先権主張】
【０００１】
本特許出願は、本特許出願の譲受人に譲渡され、本明細書において参照によって明確に組み込まれ２００９年１０月８日に出願された「マルチ・キャリア無線通信のためのダウンリンク制御情報」（Downlink Control Information For Multiple Carrier Wireless Communication）と題された米国仮特許出願６１／２４９，９５１号の優先権を主張する。
【技術分野】
【０００２】
本開示は、一般に、通信に関し、さらに詳しくは、無線ネットワークにおいてダウンリンク制御情報を利用することに関する。
【背景技術】
【０００３】
第３世代パートナシップ計画ロング・ターム・イボリューション（ＬＴＥ）は、セルラ技術における主要な進歩を呈しており、グローバル移動体通信システム（ＧＳＭ（登録商標））およびユニバーサル・モバイル・テレコミュニケーション・システム（ＵＭＴＳ）の自然発展形として、セルラ３Ｇサービスにおいて先行する次のステップである。ＬＴＥは、最大で毎秒７５メガビット（Ｍｂｐｓ）のアップリンク速度と、最大で３００Ｍｂｐｓのダウンリンク速度とを提供し、セルラ・ネットワークに対して多くの技術的な利点をもたらす。ＬＴＥは、この１０年間に向けての、高速データおよびマルチメディア伝送のみならず、高キャパシティの音声サポートに関するキャリア・ニーズを満足するように設計されている。帯域幅は、１．２５ＭＨｚから２０ＭＨｚまでスケール可能である。これは、異なる帯域幅割当を有する異なるネットワーク・オペレータのニーズに適合し、また、オペレータが、スペクトルに基づいて異なるサービスを提供することを可能にする。
【０００４】
ＬＴＥ規格の物理レイヤ（ＰＨＹ）は、エンハンスト基地局（ｅノードＢ）とモバイル・ユーザ機器（ＵＥ）との間でデータおよび制御情報の両方を伝送する非常に効率的な手段である。ＬＴＥ  ＰＨＹは、セルラ・アプリケーションに新しい、先進技術を使用する。これらは、直交周波数分割多重（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データが、指定された数のシンボル期間にわたって、サブキャリア毎ベースで、複数のユーザとの間で送られるようになる。
【発明の概要】
【０００５】
本開示のある態様は、無線通信のための方法を提供する。この方法は一般に、第１および第２のダウンリンク制御情報（ＤＣＩ）フォーマットの第１のサイズを決定することと、ここで、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送し、単一のコードワードにおける第２のアップリンク動作に関する情報を伝送する第３のＤＣＩフォーマットの第２のサイズを決定することと、ここで、第３のＤＣＩフォーマットにおける情報ビット数が、第１のＤＣＩフォーマットにおける情報ビット数よりも多い、第２のＤＣＩフォーマットのサイズを第２のサイズに一致するように調節し、第４のＤＣＩフォーマットを取得することと、第１、第２、第３、および第４のＤＣＩフォーマットのうちの１つを用いてＤＣＩメッセージを生成することと、ＤＣＩメッセージを送信することと、ＤＣＩメッセージに応じて送信されるアップリンク信号を受信することと、を含む。
【０００６】
本開示のある態様は、無線通信のための方法を提供する。この方法は一般に、ダウンリンク制御情報（ＤＣＩ）メッセージを受信することと、ＤＣＩメッセージにおける情報を抽出することと、抽出された情報を用いてアップリンク信号を送信することとを含み、ここで、ＤＣＩメッセージは、第１、第２、第３、および第４のＤＣＩフォーマットのうちの１つを用い、第１および第２のフォーマットは、第１のサイズを用い、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送し、第２のサイズを有する第３のＤＣＩフォーマットは、単一のコードワードにおける第２のアップリンク動作に関する情報を伝送し、第４のＤＣＩフォーマットは、第２のＤＣＩフォーマットに類似した情報を伝送し、第４のＤＣＩフォーマットのサイズが、第２のサイズに一致され、第３のＤＣＩフォーマットにおける情報ビット数は、第１のＤＣＩフォーマットにおける情報ビット数よりも多い。
【０００７】
本開示のある態様は、無線通信のための装置を提供する。この装置は一般に、第１および第２のダウンリンク制御情報（ＤＣＩ）フォーマットの第１のサイズを決定する手段と、ここで、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送する、単一のコードワードにおける第２のアップリンク動作に関する情報を伝送する第３のＤＣＩフォーマットの第２のサイズを決定する手段と、ここで、第３のＤＣＩフォーマットにおける情報ビット数が、第１のＤＣＩフォーマットにおける情報ビット数よりも多い、第２のＤＣＩフォーマットのサイズを第２のサイズに合うように調節し、第４のＤＣＩフォーマットを取得する手段と、第１、第２、第３、および第４のＤＣＩフォーマットのうちの１つを用いてＤＣＩメッセージを生成する手段と、ＤＣＩメッセージを送信する手段と、ＤＣＩメッセージに応じて送信されるアップリンク信号を受信する手段と、を含む。
【０００８】
本開示のある態様は、無線通信のための装置を提供する。この装置は一般に、ダウンリンク制御情報（ＤＣＩ）メッセージを受信する手段と、ＤＣＩメッセージにおける情報を抽出する手段と、抽出された情報を用いてアップリンク信号を送信する手段とを含み、ここで、ＤＣＩメッセージは、第１、第２、第３、および第４のＤＣＩフォーマットのうちの１つを用い、第１および第２のフォーマットは、第１のサイズを用い、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送し、第２のサイズを有する第３のＤＣＩフォーマットは、単一のコードワードにおける第２のアップリンク動作に関する情報を伝送し、第４のＤＣＩフォーマットは、第２のＤＣＩフォーマットに類似した情報を伝送し、第４のＤＣＩフォーマットのサイズが、第２のサイズに一致され、第３のＤＣＩフォーマットにおける情報ビット数が、第１のＤＣＩフォーマットにおける情報ビット数よりも多い。
【０００９】
本開示のある態様は、無線通信のための装置を提供する。この装置は、一般に、第１および第２のダウンリンク制御情報（ＤＣＩ）フォーマットの第１のサイズを決定し、ここで、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送する、単一のコードワードにおける第２のアップリンク動作に関する情報を伝送する第３のＤＣＩフォーマットの第２のサイズを決定し、ここで、第３のＤＣＩフォーマットにおける情報ビット数が、第１のＤＣＩフォーマットにおける情報ビット数よりも多い、第２のＤＣＩフォーマットのサイズを第２のサイズに一致するように調節し、第４のＤＣＩフォーマットを取得し、第１、第２、第３、および第４のＤＣＩフォーマットのうちの１つを用いてＤＣＩメッセージを生成し、ＤＣＩメッセージを送信し、ＤＣＩメッセージに応じて送信されるアップリンク信号を受信する、ように構成された少なくとも１つのプロセッサと、少なくとも１つのプロセッサに接続されたメモリと、を含む。
【００１０】
本開示のある態様は、無線通信のための装置を提供する。この装置は一般に、ダウンリンク制御情報（ＤＣＩ）メッセージを受信し、ＤＣＩメッセージにおける情報を抽出し、抽出された情報を用いて、アップリンク信号を送信するように構成された少なくとも１つのプロセッサと、少なくとも１つのプロセッサに接続されたメモリと、を含み、ここで、ＤＣＩメッセージは、第１、第２、第３、および第４のＤＣＩフォーマットのうちの１つを用い、第１および第２のフォーマットは、第１のサイズを用い、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送し、第２のサイズを有する第３のＤＣＩフォーマットは、単一のコードワードにおける第２のアップリンク動作に関する情報を伝送し、第４のＤＣＩフォーマットは、第２のＤＣＩフォーマットに類似した情報を伝送し、第４のＤＣＩフォーマットのサイズが、第２のサイズに一致され、第３のＤＣＩフォーマットにおける情報ビット数が、第１のＤＣＩフォーマットにおける情報ビット数よりも多い。
【００１１】
ある態様は、１または複数のプロセッサによって実行可能な、格納された命令群を有するコンピュータ読取可能な媒体を備える、無線通信のためのコンピュータ・プログラム製品を提供する。これら命令群は一般に、第１および第２のダウンリンク制御情報（ＤＣＩ）フォーマットの第１のサイズを決定するための命令群と、ここで、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送する、単一のコードワードにおける第２のアップリンク動作に関する情報を伝送する第３のＤＣＩフォーマットの第２のサイズを決定する
ための命令群と、ここで、第３のＤＣＩフォーマットにおける情報ビット数が、第１のＤＣＩフォーマットにおける情報ビット数よりも多い、第２のＤＣＩフォーマットのサイズを第２のサイズに一致するように調節し、第４のＤＣＩフォーマットを取得するための命令群と、第１、第２、第３、および第４のＤＣＩフォーマットのうちの１つを用いてＤＣＩメッセージを生成するための命令群と、ＤＣＩメッセージを送信するための命令群と、ＤＣＩメッセージに応じて送信されるアップリンク信号を受信するための命令群と、を含む。
【００１２】
ある態様は、１または複数のプロセッサによって実行可能な、格納された命令群を有するコンピュータ読取可能な媒体を備える、無線通信のためのコンピュータ・プログラム製品を提供する。これら命令群は一般に、ダウンリンク制御情報（ＤＣＩ）メッセージを受信するための命令群と、ＤＣＩメッセージにおける情報を抽出するための命令群と、抽出された情報を用いて、アップリンク信号を送信するための命令群とを含み、ここで、ＤＣＩメッセージは、第１、第２、第３、および第４のＤＣＩフォーマットのうちの１つを用い、第１および第２のフォーマットは、第１のサイズを用い、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送し、第２のサイズを有する第３のＤＣＩフォーマットは、単一のコードワードにおける第２のアップリンク動作に関する情報を伝送し、第４のＤＣＩフォーマットは、第２のＤＣＩフォーマットに類似した情報を伝送し、第４のＤＣＩフォーマットのサイズが、第２のサイズに一致され、第３のＤＣＩフォーマットにおける情報ビット数が、第１のＤＣＩフォーマットにおける情報ビット数よりも多い。
【図面の簡単な説明】
【００１３】
【図１】図１は、本開示のある態様にしたがう多元接続無線通信システムを例示する。
【図２】図２は、本開示のある態様にしたがう基地局とアクセス端末との態様を例示する。
【図３】図３は、本開示のある態様にしたがう多元接続無線通信システムを例示する。
【図４】図４は、物理ダウンリンク制御チャネル（ＰＤＣＣＨ）の構成の例を備えたテーブルを例示する。
【図５】図５は、本開示のある態様にしたがって、ダウンリンク制御チャネルで送信されたメッセージの効率的な符号化のためにアクセス・ポイントによって実行されうる動作の例を例示する。
【図６】図６は、本開示のある態様にしたがって、ダウンリンク制御チャネルで受信されたメッセージの効率的な復号のためにユーザ機器によって実行されうる動作の例を例示する。
【図７】図７は、本開示のある態様にしたがって、ＰＤＣＣＨおよび制御情報フォーマットの構成の例の態様を例示する。
【図８】図８は、本開示のある態様にしたがって、ＰＤＣＣＨおよび制御情報フォーマットの構成のさらなる例を例示する。
【図９】図９は、本開示のある態様にしたがって、制御情報フォーマットを備えたＰＤＣＣＨの構成の別の例の態様を例示する。
【図１０】図１０は、本開示のある態様にしたがって、第４の制御情報フォーマットを備えたＰＤＣＣＨの構成のさらなる例の態様を例示する。
【図１１】図１１は、本開示のある態様にしたがって、制御情報フォーマットを備えたＰＤＣＣＨの構成のさらなる例を例示する。
【発明を実施するための形態】
【００１４】
さまざまな態様が、図面を参照して記載される。以下の記載では、説明の目的のために、１または複数の態様の完全な理解を提供するために、多くの具体的な詳細が述べられる。しかしながら、このような態様（単数または複数）は、これら具体的な詳細無しで実現されることが認識されるだろう。
【００１５】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１６】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末（単数または複数）と通信するために利用され、アクセス・ポイント、ノードＢ、ｅノードＢ（ｅＮＢ）、あるいはその他いくつかの用語で称されうる。
【００１７】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および時分割シンクロナス符号分割多元接続（ＴＤ−ＳＣＤＭＡ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。
【００１９】
ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２０】
シングル・キャリア変調および周波数領域等値化を利用するシングル・キャリア周波数分割多元接続（ＳＣ−ＦＤＭＡ）は、ＯＦＤＭＡシステムのものと同等のパフォーマンスと、実質的に同じ全体的な複雑さとを持つ技術である。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点から、低いＰＡＰＲがモバイル端末に利益をもたらすアップリンク通信において利用されうる。
【００２１】
図１に示すように、本開示の１つの態様にしたがった無線通信システム１００が例示される。アクセス・ポイント１０２（ＡＰ）は、ユーザ機器（ＵＥ）１１６、１１２と通信するために、１つは１０４および１０６を含み、別の１つのは１０８および１１０を含み、さらに別の１つは１１２および１１４を含む複数のアンテナ・グループを含む。アクセス・ポイント１０２は、固定局であり、基地局、ノードＢ、イボルブド・ノードＢ（ｅＮＢ）、あるいはその他のある専門用語で称されうる。
【００２２】
ＵＥ１１６、１２２は無線端末または前述したようなその他のデバイスでありうる。図示するように、ＡＰ１０２とＵＥ１１６、１２２とのダウンリンク・データ送信およびアップリンク・データ送信はおのおの、ダウンリンク制御情報（ＤＣＩ）を伝送する物理ダウンリンク制御チャネル（ＰＤＣＣＨ）が伴われうる。ＰＤＣＣＨは、例えば、動的なスケジューリングによって、または、例えば、半永久的なスケジューリングまたは非適応性アップリンク（ＵＬ）送信によって、暗黙的にＵＥに明確に割り当てられうる。
【００２３】
ＵＥは、ＵＥ特有の、あるいは共通のＰＤＣＣＨ探索空間の何れかで、ＰＤＣＣＨで受信されるＤＣＩメッセージの復号を試みうる。共通の探索空間は、２つの可能なＰＤＣＣＨアグリゲーション・レベルを有しうる。これらのおのおのは、異なる有効ＰＤＣＣＨ符号化レートとなりうる。アグリゲーション・レベルは、レベル４のために４つの制御チャネル要素（ＣＣＥ）を、レベル８のために８つのＣＣＥを含みうる。おのおののＣＣＥは、３６のリソース要素を占有しうる。ＵＥ特有の探索空間は、１つ、２つ、４つ、または８つのＣＣＥを用いて、４つの可能なＰＤＣＣＨアグリゲーション・レベルを有しうる。
【００２４】
共通のまたはＵＥ特有の探索空間におけるおのおののアグリゲーション・レベルについて、復号すべき複数のＰＤＣＣＨ候補が存在しうる。したがって、共通の探索空間では、レベル４のために最大４つの候補が、レベル８のために最大２つの候補が存在し、ＵＥ特有の探索空間では、レベル１、２、４、および８のためにそれぞれ最大６つ、６つ、２つ、２つの候補が存在する。共通の探索空間が時間変動しない間、ＵＥ特有の探索空間は、ＵＥ特有のラジオ・ネットワーク・テンポラリ識別子（ＲＮＴＩ）に基づいて、時間と共に変化しうる。おのおのの探索空間（例えば、共通またはＵＥ特有）内では、復号候補は、オーバラップするリソースを持たないかもしれない。しかしながら、共通の探索空間およびＵＥ特有の探索空間は、オーバラップしうる。
【００２５】
本開示のある態様は、例えば物理ダウンリンク制御チャネル（ＰＤＣＣＨ）のようなダウンリンク・チャネルで、アクセス・ポイント１０２によって送信されうるダウンリンク制御情報（ＤＣＩ）メッセージを生成するための技術を提供する。このＤＣＩメッセージは、例えば、シングル・ユーザ複数入力複数出力（ＳＵ−ＭＩＭＯ）、クラスタ・ディスクリート・フーリエ変換拡散直交周波数分割多重（ＤＦＴ−Ｓ−ＯＦＤＭ）、非周期的サウンディング基準信号（ＳＲＳ）トリガ、マルチ・キャリア動作、アップリンク単一入力複数出力（ＳＩＭＯ）等のようなアップリンク・エンハンスメントをサポートしうる。１つの態様では、アクセス・ポイントまたはｅＮＢは、さまざまなＤＬ／ＵＬ動作に対応するため、および、ユーザ機器によって実行されるＰＤＣＣＨのブラインド復号の数を低減するために、ＤＣＩメッセージを修正する。サイズ・マッチングおよびその他のＤＣＩフォーマット動作が、共通のおよびＵＥ特有の探索空間のうちの１つまたは両方において、制御情報について実行されうる。
【００２６】
図２は、典型的な基地局２１０（アクセス・ポイントとしても知られている）および典型的なアクセス端末２５０（ユーザ機器としても知られている）を含む、無線通信システム２００の態様を示すブロック図である。基地局２１０は、例えば、アクセス・ポイント１０２のようなアクセス・ポイントでありうる。また、アクセス端末２５０は、例えば、ＵＥ１１６のようなユーザ機器でありうる。
【００２７】
基地局２１０では、多くのデータ・ストリームのためのトラフィック・データが、データ・ソース２１２から送信（ＴＸ）データ・プロセッサ２１４へ提供される。態様では、おのおののデータ・ストリームは、それぞれの送信アンテナ２２４を介して送信される。プロセッサ２３０は、例えば、ＰＤＣＣＨでアクセス端末２５０へ送信されるべきダウンリンク制御情報（ＤＣＩ）を生成しうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。制御情報、および、データ・ストリームについて符号化されたデータは、ＯＦＤＭ技術を用いてパイロット・データと多重化されうる。
【００２８】
パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍが２の累乗であるＭ−ＰＳＫ、またはＭ−ＱＡＭ（直交振幅変調））に基づいて変調（すなわち、シンボル・マップ）される。おのおののデータ・ストリームのデータ・レート、符号化、および変調は、メモリ２３２に接続されうるプロセッサ２３０によって実行される命令群によって決定されうる。
【００２９】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、そのシンボルが送信されるアンテナへ、ビームフォーミング重みを適用する。
【００３０】
送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３１】
アクセス端末２５０では、ダウンリンク信号について送信された変調信号が、ＮＲ個のアンテナ２５２ａ乃至２５２ｒによって受信され、これら受信された信号が、おのおののアンテナ２５２から、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３２】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データおよび制御情報を復元する。この制御情報は、ＰＤＣＣＨで基地局２１０によって送信されたＤＣＩメッセージを含んでいる。
【００３３】
ＲＸデータ・プロセッサ２６０による処理は、基地局２１０におけるＴＸ  ＭＩＭＯプロセッサ２２０およびＴＸデータ・プロセッサ２１４によって実行されるものと相補的である。メモリ２７２に接続されたプロセッサ２７０は、トラフィック・データおよび制御情報に応じて、物理アップリンク制御チャネル（ＰＤＣＣＨ）または物理アップリンク共有チャネル（ＰＤＳＣＨ）における送信のためのアップリンク・メッセージを生成しうる。
【００３４】
アップリンク・メッセージは、通信リンクおよび／または受信されたデータ・ストリームに関するさまざまなタイプの情報を備えうる。アップリンク・メッセージは、多くのデータ・ストリームに関するトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３５】
基地局２１０では、アクセス端末２５０からの変調信号が、アンテナ２２４によって受信され、受信機２２２によって調整され、復調器２４０によって復調され、ＲＸデータ・プロセッサ２４２によって処理されることにより、受信機システム２５０によって送信されたアップリンク・メッセージが抽出される。ある態様によれば、アップリンク・メッセージは、ＰＤＣＣＨで送信されたアップリンク制御情報（ＵＣＩ）にしたがって送信されうる。
【００３６】
例えば、クラスタ・リソース割当、非周期的ＳＲＳトリガ等のような新たなアップリンク動作に対するサポートは、新たなＤＣＩメッセージを必要としうる。ある態様については、ＤＣＩメッセージのサイズは、新たなアップリンク動作の要件に基づいて決定されうる。１つの態様では、ＤＣＩメッセージのサイズは、レガシー・ユーザ機器によって復号可能なＬＴＥ規格のリリース８におけるＤＣＩフォーマット０および１Ａのサイズに類似しうる。
【００３７】
図３は、本開示のある態様にしたがって、さまざまなフォーマットの１または複数の制御情報メッセージを送信するためのダウンリンク制御チャネルを提供する無線通信システム３００を例示する。例示するように、通信システム３００は、レガシーＵＥ３３０およびアドバンスト（非レガシー）ＵＥ３４０と通信するサービス提供ＡＰ３２０を含む。レガシーＵＥ３３０は、例えば、ＬＴＥリリース８（または以前のリリース）にしたがって通信しうる。一方、アドバンストＵＥ３４０は、例えば、ＬＴＥリリース９（またはそれ以降のリリース）を用いて通信しうる。本明細書で提供されるように、サービス提供アクセス・ポイント３２０によって生成された制御情報は、後方互換性を可能にしうる。これによって、レガシーＥおよび非レガシーＵＥが、通信システムにおいて共存できるようになる。
【００３８】
サービス提供ＡＰ３２０は、１または複数のフォーマットを用いて、ＵＥ３３０、３４０にダウンリンク制御情報を送信しうる。ＡＰは、レガシーＵＥ３３０によって復号可能でありうる第１または第２のフォーマットを利用しうる。ＡＰはまた、ＳＵ−ＭＩＭＯ、ＤＦＴ−Ｓ−ＯＦＤＭ、非周期的ＳＲＳトリガ等を用いたアップリンク動作のために、アドバンストＵＥ３４０によって復号可能なＤＣＩメッセージのために第３のフォーマットを利用しうる。
【００３９】
サービス提供ＡＰ３２０は、第１および第２のＤＣＩフォーマットのサイズを決定するためのサイズ決定構成要素３２４を有しうる。サイズ決定構成要素はまた、アップリンク動作の要件に基づいて、第３のＤＣＩフォーマットのサイズを決定しうる。サイズ調節構成要素３２５は、第４のＤＣＩフォーマットを生成するために、第２のＤＣＩフォーマットのサイズを、第３のＤＣＩフォーマットのサイズに調節しうる。ＤＣＩメッセージ生成構成要素３２６は、上記フォーマットのうちの１つを用いて、ダウンリンク制御情報（ＤＣＩ）３１０メッセージを生成しうる。送信機３２８は、ＵＥ３３０、３４０にＤＣＩメッセージ３１０を送信するように動作する。ＤＣＩメッセージ３１０は、物理ダウンリンク制御チャネル（ＰＤＣＣＨ）の共通の探索空間３３２またはＵＥ特有の探索空間３３４のうちの何れかで送信されうる。
【００４０】
ＵＥ３４０では、受信機３４２は、ＤＣＩメッセージ３１０を受信しうる。情報抽出構成要素３４４は、ＤＣＩメッセージにおける情報を抽出しうる。送信機３４６は、抽出された情報を用いてアップリンク信号を送信しうる。例として、アップリンク信号は、ＤＣＩメッセージに基づいて、単一入力複数出力（ＳＩＭＯ）を用いて、クラスタ・アップリンク・リソース割当および動作を利用しうる。別の例として、アップリンク信号は、ＤＣＩメッセージにおけるトリガに応じて、非周期的サウンディング基準信号（ＳＲＳ）を含みうる。
【００４１】
ＡＰ３２０では、受信機３２２は、アップリンク・チャネル（例えば、物理アップリンク共有チャネル（ＰＵＳＣＨ）、物理アップリンク制御チャネル（ＰＵＣＣＨ）等）３１８で送信を受信する。
【００４２】
図４は、ＬＴＥ規格のリリース８におけるＰＤＣＣＨの構成を示すテーブル４００を例示する。例示されるように、例えばシステム情報、ページング、またはアクセス応答のようなブロードキャスト・サービスのために、（例えば、ＤＣＩフォーマット１Ａおよび１Ｃのような）２つのＤＣＩフォーマットがサポートされうる。ＤＣＩフォーマット１Ａおよび１Ｃは、共通の探索空間で伝送され、例えば、システム情報（ＳＩ）−ＲＮＴＩ、ページング（Ｐ）−ＲＮＴＩ、ランダム・アクセス（ＲＡ）−ＲＮＴＩ等のような特別なＲＮＴＩによって指定されうる。図４のＤＣＩフォーマットの例は、例えば、ＡＰ３２０のＤＣＩメッセージ生成構成要素３２８の動作によって、レガシーＵＥ３３０と通信している場合に、通信システム３００と接続する際に利用されうる。
【００４３】
共通の探索空間では、ＤＣＩフォーマット３または３Ａの何れかを用いて、グループ電力制御コマンドも伝送されうる。このコマンドは、例えばＴＰＣ−ＰＵＣＣＨ−ＲＮＴＩまたはＴＰＣ−ＰＵＳＣＨ−ＲＮＴＩのような特別目的ＲＮＴＩによって指定されうる。ここで、ＴＰＣは、送信電力制御を称し、ＰＵＣＣＨは、物理アップリンク制御チャネルを称し、ＰＵＳＣＨは、物理アップリンク共有チャネルを称する。これらの２つのフォーマットは、ＤＣＩフォーマット０および１Ａのサイズに類似したサイズを有しうる。
【００４４】
おのおののＵＥは、例えば半固定的方式でのビームフォーミング、閉ループ空間多重化、開ループ空間多重化、送信ダイバーシティのようないくつかのダウンリンク（ＤＬ）送信モードのうちの１つのために、高次レイヤ（例えば、ラジオ・リンク制御（ＲＬＣ）レイヤ）によって設定されうる。ＤＬ送信モードはそれぞれ、うち１つがＤＣＩフォーマット１Ａであり、その他が例えばＤＣＩフォーマット１、１Ｂ、１Ｄ、２、２Ａ、または２Ｂのようにモードに依存しうる、異なるサイズからなる２つのＤＬ  ＤＣＩフォーマットに関連付けられうる。ユニキャスト・ダウンリンク送信は、２つのＤＣＩフォーマットを用いて、ＵＥ特有の探索空間でなされうる。また、ユニキャスト送信は、例えばセル・ラジオ・ネットワーク・テンポラリ識別子（Ｃ−ＲＮＴＩ）、半永久的スケジューリング（ＳＰＳ）、テンポラリＲＮＴＩ等のようなＵＥ特有のＲＮＴＩによって、ＤＣＩフォーマット１Ａと共通の探索空間でなされうる。
【００４５】
アップリンク送信のために、ＬＴＥリリース８では、恐らくはゼロ・パディングによってＤＣＩフォーマット１Ａと同じサイズを有しうる唯一のＤＣＩフォーマット（例えば、フォーマット０）しかサポートされない。ＤＣＩフォーマット１ＡおよびＤＣＩフォーマット０における１つのビットが、これら２つのＰＤＣＣＨフォーマットを区別するために役立ちうる。ＤＣＩフォーマット０とＤＣＩフォーマット１Ａとに同じサイズを強制することにより、ＰＤＣＣＨ候補毎のブラインド検出の総数が低減されうる。アップリンク・ユニキャスト・トラフィックは、例えばＣ−ＲＮＴＩ、ＳＰＳ  Ｃ−ＲＮＴＩ、テンポラリＣ−ＲＮＴＩ等のようなＵＥ特有のＲＮＴＩによって、ＵＥ特有の探索空間および共通の探索空間にありうる。したがって、ブラインド復号動作の総数Ｎｂｄは、以下のようにして決定されうる。  
Ｎｂｄ＝ＮＤＣＩ×（ＡＵＥ＋ＡＣ）＝２×（（６＋６＋２＋２）＋（４＋２））＝４４  
ここで、ＮＤＣＩは、ＤＣＩサイズの数を表し、ＡＵＥは、ＵＥ特有の探索空間におけるアグリゲーション・レベルの数を表し、ＡＣは、共通の探索空間におけるアグリゲーション・レベルの数を表わす。
【００４６】
デバイスを新たに生成することは、例えば、シングル・ユーザ複数入力複数出力（ＳＵ−ＭＩＭＯ）、クラスタＤＦＴ−Ｓ−ＯＦＤＭ（ディスクリート・フーリエ変換拡散直交周波数分割多重）等のような強化された機能をサポートしうる。ＵＬ  ＳＵ−ＭＩＭＯの場合、最大２つの伝送ブロックが、アップリンク成分キャリア毎にサブフレームにおいて、スケジュールされたＵＥから送信されうる。おのおのの伝送ブロックは、自身の変調および符号化スキーム（ＭＣＳ）レベルを有しうる。強化されたＵＬ機能をサポートするために、新たなＤＣＩフォーマットによって、ブラインド復号の最大数が若干増加する。
【００４７】
図５は、本開示のある態様にしたがって、ダウンリンク制御チャネルで送信されるメッセージの効率的な生成のために、アクセス・ポイントによって実行されうる動作５００の例を例示する。アクセス・ポイントは、図１−３のうちの何れかに関連して説明されうる。例えば、典型的な動作５００は、１または複数のプロセッサ（例えば、プロセッサ２３０）によって、または、１または複数の構成要素（例えば、構成要素３２４−３２６）によって指示されうる。
【００４８】
５０２では、ＡＰは、第１および第２のダウンリンク制御情報（ＤＣＩ）フォーマットの第１のサイズを決定する。ここで、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送する。例として、第１のＤＣＩフォーマットはフォーマット０であり、第２のＤＣＩフォーマットは、ロング・ターム・イボリューション（ＬＴＥ）規格におけるフォーマット１Ａでありうる。
【００４９】
５０４では、ＡＴが、単一のコードワードにおける第２のアップリンク動作に関する情報を伝送する第３のＤＣＩフォーマットの第２のサイズを決定する。例えば、第２のアップリンク動作は、クラスタ・アップリンク・リソース割当動作でありうる。さらに、第３のＤＣＩフォーマットにおける情報ビット数は、第１のＤＣＩフォーマットにおける情報ビット数よりも大きい。第３のＤＣＩフォーマットは、単一のコードワードにおける第１のアップリンク動作と第２のアップリンク動作との両方についての情報を伝送しうる。ある態様の場合、第１のサイズは、共通の探索空間およびＵＥ特有の探索空間のうちの少なくとも１つに存在しうる。そして、第２のサイズは、ＵＥ特有の探索空間においてのみ存在しうる。
【００５０】
５０６では、ＡＰが、第２のＤＣＩフォーマットのサイズを、第２のサイズに一致させるように調節し、第４のＤＣＩフォーマットを取得する。例えば、この調節は、１または複数のゼロ・ビットを第２のＤＣＩフォーマットに加えることによって実行されうる。５０８では、ＡＰが、第１、第２、第３、および第４のＤＣＩフォーマットのうちの１つを用いてＤＣＩメッセージを生成する。５１０では、ＡＰは、ＤＣＩメッセージを送信する。５１２では、ＡＰは、ＤＣＩメッセージに応じて送信されるアップリンク信号を受信する。
【００５１】
図６は、本開示のある態様にしたがって、ダウンリンク制御チャネルで受信されたメッセージの効率的な復号のためにユーザ機器によって実行されうる動作６００の例を例示する。ユーザ機器は、図１−３のうちの何れかに関連して説明されうる。例えば、典型的な動作６００は、１または複数のプロセッサ（例えば、プロセッサ２７０）によって、１または複数の構成要素（例えば、構成要素３４２−３４６）によって指示されうる。
【００５２】
６０２では、ＵＥが、ダウンリンク制御情報（ＤＣＩ）メッセージを受信する。ここで、ＤＣＩメッセージは、第１、第２、第３、および第４のＤＣＩフォーマットのうちの１つを用い、第１および第２のフォーマットは、第１のサイズを用いる。例示するように、第１のＤＣＩフォーマットは、単一のコードワードにおける第１のアップリンク動作に関する情報を伝送し、第２のＤＣＩフォーマットは、単一のコードワードにおける少なくとも１つのダウンリンク動作に関する情報を伝送しうる。さらに、（第２のサイズを有する）第３のＤＣＩフォーマットは、単一のコードワードにおける第２のアップリンク動作に関する情報を伝送し、第４のＤＣＩフォーマットは、第２のＤＣＩフォーマットに類似した情報を伝送しうる。第４のＤＣＩフォーマットのサイズは、第２のサイズに一致され、第３のＤＣＩフォーマットにおける情報ビット数は、第１のＤＣＩフォーマットにおける情報ビット数よりも大きい。６０４では、ＵＥは、ＤＣＩメッセージにおける情報を抽出する。６０６では、ＵＥは、抽出された情報を用いてアップリンク信号を送信する。
【００５３】
本開示の態様は、通信システム３００に関連して利用されうるダウンリンク制御チャネルの新たなＤＣＩフォーマットおよび構成を提供する。これらのフォーマットのＤＣＩメッセージは、例えば、ＤＣＩメッセージ生成構成要素３２６によって、ＡＰにおいて生成されうる。例えばアドバンストＵＥ３４０のようなＵＥは、現在および将来の規格リリースの高度な機能を利用するために、例えば、情報抽出構成要素３４４を用いて、これら新たなフォーマットのＤＣＩメッセージを復号することができる。
【００５４】
本開示のある態様は、新たなアップリンク動作をサポートするために新たなＤＣＩフォーマットを提案する。例として、単一入力複数出力（ＳＩＭＯ）動作の下のクラスタ・アップリンク・リソース割当が使用される。しかしながら、本開示は、この例に限定されない。説明の目的のために、新たなフォーマットは“ＤＣＩフォーマット４”と称されうる。
【００５５】
ブラインド検出の複雑さを低く保つために、ＤＣＩフォーマット４のサイズは、ＤＣＩフォーマット０および１Ａのサイズに類似しうる。１つの態様では、シングル・キャリア波形のための連続リソース割当を現在サポートしているＤＣＩフォーマット０における情報フィールドは、クラスタＵＬ  ＳＩＭＯをサポートするためにＡＰによって再度企画され、ＵＥによって再解釈されうる。
【００５６】
典型的な態様では、ＤＣＩフォーマット０におけるホッピング・フラグは、このフォーマットが、ホッピングを伴う連続割当を含んでいるか、ホッピングを伴わない連続／クラスタ割当を含んでいるかを示すために使用されうる。例えば、ゼロに等しいホッピング・フラグは、ホッピングを伴う連続割当がイネーブルされているかをシグナルしうる。１に等しいホッピング・フラグは、１つのクラスタしか存在しない場合、ホッピングを伴わない連続割当がイネーブルされているかをシグナルしうる。ホッピング・フラグが１に等しい場合、複数のクラスタが存在するのであれば、ホッピングのないクラスタ割当がイネーブルされていることを意味しうる。ホッピングを伴わない連続／クラスタ割当は、リソース・インジケーション値フィールドに統合的に含まれうる。
【００５７】
図７は、本開示の１つの態様にしたがう、新たなＤＣＩフォーマット（例えば、ＤＣＩフォーマット４）を用いたＰＤＣＣＨの典型的な構成を備えたテーブル７００を例示する。例示されるように、新たなＤＣＩフォーマットは、共通の探索空間およびＵＥ特有の探索空間との両方において使用されうる。新たなＤＣＩフォーマットのサイズは、ＤＣＩフォーマット０／１Ａのサイズに一致されうる。これによって、３つのフォーマットおよび対応するＵＬまたはＤＬ動作が、同じサイズのメッセージで伝送されるようになる。
【００５８】
この態様では、新たなＤＣＩフォーマット４のサイズが、新たなアップリンク動作のための要件に基づいて決定されうる。ユーザ機器によるブラインド復号を低減するために、アクセス・ポイントは、ＤＣＩフォーマット１Ａおよび０を、新たなＤＣＩフォーマット４のサイズにサイズ・マッチさせうる。言い換えれば、新たなＤＣＩフォーマットのサイズは、他のＤＣＩメッセージのサイズを決定する。これは、オリジナルのＤＣＩフォーマット１Ａ、０に対するサイズ・マッチングと比較した場合、ある制限を回避しうる。なぜなら、オリジナルのＤＣＩフォーマット１Ａ、０のサイズは、ある新たなアップリンク動作のためには小さすぎる場合がありうるからである。フォーマット０およびフォーマット１Ａに基づいて生成される新たなＤＣＩフォーマットはそれぞれ、フォーマット０’およびフォーマット１Ａ’と称されうる。
【００５９】
図８は、本開示のある態様にしたがうＰＤＣＣＨの別の典型的な構成を備えるテーブル８００を例示する。この例では、後方互換性を維持するために、ＤＣＩフォーマットは、共通の探索空間におけるブロードキャストのために使用される一方、新たなＤＣＩフォーマット１Ａ’／０’は、ＤＣＩフォーマット４とのサイズ・マッチング後、ユニキャスト・トラフィックのために使用されうる。この典型的な構成は、ＤＣＩフォーマットのための３つの個別のサイズが、共通の探索空間に存在する場合、ブラインド復号動作の数を若干増加させうる。
【００６０】
図９は、本開示のある態様にしたがうＰＤＣＣＨのさらなる典型的な構成を備えるテーブル９００を例示する。例示されるように、新たなＤＣＩフォーマット４は、ＤＣＩフォーマット０を含む他のＤＣＩフォーマットをリプレースする。これは、アップリンク制御情報を配信する。ＤＣＩフォーマット４は、新たなアップリンク動作のために必要な追加情報に加えて、ＤＣＩフォーマット０によって現在カバーされている全ての情報を含みうる。この典型的な構成を用いることによってもまた、ブラインド復号動作数がわずかに増加しうる。しかしながら、ブラインド復号に関連付けられた誤アラーム可能性が増加しない場合がありうる。なぜなら、フォーマット１Ａ’／０’／４は、ユニキャスト送信のために、共通の探索空間でしか利用されないからである。
【００６１】
図１０は、本開示の第４の態様にしたがう、ＰＤＣＣＨの典型的な構成を備えるテーブル１０００を例示する。この構成では、新たなＤＣＩフォーマット１Ａ’／０’／４は、ＵＥ特有の探索空間においてのみ利用されうる。この典型的な構成は、ブラインド復号動作の数を、４４に保ち、増加を回避する。
【００６２】
図１１は、本開示の第５の態様にしたがうＰＤＣＣＨの典型的な構成を備えるテーブル１１００を例示する。例示されるように、ＤＣＩフォーマット０またはＤＣＩフォーマット０’は、ＤＣＩフォーマットのセットから削除されうる。そして、（サイズ的にＤＣＩフォーマット１Ａと一致された）ＤＣＩフォーマット４が、ＵＬ  ＳＩＭＯスケジューリングのために使用されうる唯一のフォーマットでありうる。同様の概念が、他の図面において示されているシステムに適用されうる。
【００６３】
アップリンク・エンハンスメントをサポートするために、ＤＣＩフォーマットへの他の変形が可能である。例えば、ＤＣＩフォーマット４が共通の探索空間で伝送される場合、ＤＣＩフォーマット３／３Ａのサイズが、ＤＣＩフォーマット４のサイズと一致されうる。あるいは、または、それに加えて、ＤＣＩフォーマット０、１Ａは、図１０に示されたシステム等におけるブロードキャストから削除されうる。
【００６４】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６５】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６６】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６７】
記載された機能は、ハードウェア、ソフトウェア、ファームウェア、あるいは、これらの任意の組み合わせによって実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ＣＤ）、レーザ・ディスク、光ディスク、デジタル多用途ディスク（ＤＶＤ）、フロッピー（登録商標）ディスク、およびＢｌｕ−ｒａｙ（登録商標）ディスクを含んでいる。ここで、ｄｉｓｋは通常、データを磁気的に再生する一方、ｄｉｓｃは、レーザを用いてデータを光学的に再生する。
【００６８】
図５に記載された方法のさまざまな動作は、対応する機能を実行することが可能な任意の適切な手段によって実行されうる。例えば、ＤＣＩメッセージのサイズを決定する手段は、例えば、図３に例示されるアクセス・ポイント３２０のサイズ決定構成要素３２４のような任意の適切なタイプの決定構成要素を備えうる。ＤＣＩメッセージのサイズを調節する手段は、例えば、図３に例示されるサイズ調節構成要素３２５のような任意の適切なタイプの調節構成要素を備えうる。ＤＣＩメッセージを生成する手段は、例えば、図３に例示されるＤＣＩメッセージ生成構成要素３２６のような、任意の適切なタイプの生成構成要素を備えうる。
【００６９】
これらの構成要素は、例えば、図２に例示される基地局２１０のＴＸデータ・プロセッサ２１４および／またはプロセッサ２３０のような１または複数のプロセッサのような、任意の適切な構成要素を用いて実現されうる。ＤＣＩメッセージを送信する手段は、例えば、図３に例示されるアクセス・ポイント３２０における送信機３２８、および／または、図２に例示される基地局２１０の送信機ＴＭＴＲ２２２のような適切な送信構成要素を備えうる。アップリンク信号を受信する手段は、例えば、図３に例示されるアクセス・ポイント３２０の受信機３２２、および／または、図２に例示される基地局２１０の受信機ＲＣＶＲ２２２のような適切な受信構成要素を備えうる。
【００７０】
図６に記載された方法のさまざまな動作は、対応する機能を実行することが可能な任意の適切な手段によって実行されうる。例えば、図３に例示されたＵＥ３２０の受信機３４２、および／または、図２に例示されたアクセス端末２５０の受信機ＲＣＶＲ２５４のような任意の適切な受信構成要素を備えうる。ＤＣＩメッセージにおける情報を抽出する手段は、例えば、図３に例示されたＵＥ３４０の情報抽出構成要素３４４、および／または、図２に例示されたアクセス端末２５０のプロセッサ２７０およびＲＸデータ・プロセッサ２６０のような任意の適切なタイプの抽出構成要素を備えうる。アップリンク信号を送信する手段は、例えば、図３に例示されたＵＥ３４０の送信機３４６、および／または、図２に例示されたアクセス端末２５０の送信機ＴＭＴＲ２５４のような任意の適切な送信構成要素を備えうる。
【００７１】
例えば、このようなデバイスを、本明細書で説明した方法を実行するための手段の継承を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７２】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００７３】
前述したものは、本開示の態様に向けられているが、これら開示のその他およびさらなる態様が、本願の基本的な範囲から逸脱することなく考案され、この範囲は、以下に示す特許請求の範囲によって決定される。
以下に本願発明の当初の特許請求の範囲に記載された発明を付記する。
［Ｃ１］
無線通信のための方法であって、
第１および第２のダウンリンク制御情報（ＤＣＩ）フォーマットの第１のサイズを決定することと、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定することと、ここで、前記第３のＤＣＩフォーマットにおける情報ビット数は、前記第１のＤＣＩフォーマットにおける情報ビット数よりも多い、
前記第２のＤＣＩフォーマットのサイズを第２のサイズに合うように調節し、第４のＤＣＩフォーマットを取得することと、
前記第１、第２、第３、または第４のＤＣＩフォーマットのうちの１つを用いてＤＣＩメッセージを生成することと、
前記ＤＣＩメッセージを送信することと、を備える方法。
［Ｃ２］
前記調節し、取得することは、１または複数のゼロ・ビットを前記第２のＤＣＩフォーマットに加えることによって実行される、請求項１に記載の方法。
［Ｃ３］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項１に記載の方法。
［Ｃ４］
前記第２のアップリンク動作は、クラスタ・アップリンク・リソース割当動作を備える、請求項１に記載の方法。
［Ｃ５］
前記第３のＤＣＩフォーマットは、単一のコードワードにおける前記第１のアップリンク動作と前記第２のアップリンク動作との両方についての情報を伝送する、請求項１に記載の方法。
［Ｃ６］
前記第１のサイズは、共通の探索空間にのみ存在し、前記第２のサイズは、ユーザ機器（ＵＥ）特有の探索空間においてのみ存在する、請求項１に記載の方法。
［Ｃ７］
前記第１のサイズは、共通の探索空間とユーザ機器（ＵＥ）特有の探索空間との両方に存在し、前記第２のサイズは、ＵＥ特有の探索空間においてのみ存在する、請求項１に記載の方法。
［Ｃ８］
無線通信のための方法であって、
ダウンリンク制御情報（ＤＣＩ）メッセージを受信することと、
前記ＤＣＩメッセージにおける情報を抽出することと、
前記抽出された情報を用いてアップリンク信号を送信することとを備え、
前記ＤＣＩメッセージは、第１、第２、第３、または第４のＤＣＩフォーマットのうちの１つを用い、前記第１および第２のフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致され、前記第３のＤＣＩフォーマットにおける情報ビット数が、前記第１のＤＣＩフォーマットにおける情報ビット数よりも多い、方法。
［Ｃ９］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項８に記載の方法。
［Ｃ１０］
前記第２のアップリンク動作は、クラスタ・アップリンク・リソース割当動作を備える、請求項８に記載の方法。
［Ｃ１１］
前記第３のＤＣＩフォーマットは、単一のコードワードにおける前記第１のアップリンク動作と前記第２のアップリンク動作との両方についての情報を伝送する、請求項８に記載の方法。
［Ｃ１２］
前記第１のサイズは、共通の探索空間にのみ存在し、前記第２のサイズは、ユーザ機器（ＵＥ）特有の探索空間においてのみ存在する、請求項８に記載の方法。
［Ｃ１３］
前記第１のサイズは、共通の探索空間とユーザ機器（ＵＥ）特有の探索空間との両方に存在し、前記第２のサイズは、ＵＥ特有の探索空間においてのみ存在する、請求項８に記載の方法。
［Ｃ１４］
前記ＤＣＩメッセージにおける情報は、ブラインド復号によって抽出される、請求項８に記載の方法。
［Ｃ１５］
無線通信のための装置であって、
第１および第２のダウンリンク制御情報（ＤＣＩ）フォーマットの第１のサイズを決定する手段と、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定する手段と、ここで、前記第３のＤＣＩフォーマットにおける情報ビット数は、前記第１のＤＣＩフォーマットにおける情報ビット数よりも多い、
前記第２のＤＣＩフォーマットのサイズを第２のサイズに合うように調節し、第４のＤＣＩフォーマットを取得する手段と、
前記第１、第２、第３、および第４のＤＣＩフォーマットのうちの１つを用いてＤＣＩメッセージを生成する手段と、
前記ＤＣＩメッセージを送信する手段と、を備える装置。
［Ｃ１６］
前記調節し、取得する手段は、１または複数のゼロ・ビットを前記第２のＤＣＩフォーマットに加える手段を備える、請求項１５に記載の装置。
［Ｃ１７］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項１５に記載の装置。
［Ｃ１８］
前記第２のアップリンク動作は、クラスタ・アップリンク・リソース割当動作を備える、請求項１５に記載の装置。
［Ｃ１９］
前記第３のＤＣＩフォーマットは、単一のコードワードにおける前記第１のアップリンク動作と前記第２のアップリンク動作との両方についての情報を伝送する、請求項１５に記載の装置。
［Ｃ２０］
前記第１のサイズは、共通の探索空間にのみ存在し、前記第２のサイズは、ユーザ機器（ＵＥ）特有の探索空間においてのみ存在する、請求項１５に記載の装置。
［Ｃ２１］
前記第１のサイズは、共通の探索空間とユーザ機器（ＵＥ）特有の探索空間との両方に存在し、前記第２のサイズは、ＵＥ特有の探索空間においてのみ存在する、請求項１５に記載の装置。
［Ｃ２２］
無線通信のための装置であって、
ダウンリンク制御情報（ＤＣＩ）メッセージを受信する手段と、
前記ＤＣＩメッセージにおける情報を抽出する手段と、
前記抽出された情報を用いてアップリンク信号を送信する手段とを備え、
前記ＤＣＩメッセージは、第１、第２、第３、または第４のＤＣＩフォーマットのうちの１つを用い、前記第１および第２のフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致され、前記第３のＤＣＩフォーマットにおける情報ビット数が、前記第１のＤＣＩフォーマットにおける情報ビット数よりも多い、装置。
［Ｃ２３］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項２２に記載の装置。
［Ｃ２４］
前記第２のアップリンク動作は、クラスタ・アップリンク・リソース割当動作を備える、請求項２２に記載の装置。
［Ｃ２５］
前記第３のＤＣＩフォーマットは、単一のコードワードにおける前記第１のアップリンク動作と前記第２のアップリンク動作との両方についての情報を伝送する、請求項２２に記載の装置。
［Ｃ２６］
前記第１のサイズは、共通の探索空間にのみ存在し、前記第２のサイズは、ユーザ機器（ＵＥ）特有の探索空間においてのみ存在する、請求項２２に記載の装置。
［Ｃ２７］
前記第１のサイズは、共通の探索空間とユーザ機器（ＵＥ）特有の探索空間との両方に存在し、前記第２のサイズは、ＵＥ特有の探索空間においてのみ存在する、請求項２２に記載の装置。
［Ｃ２８］
前記ＤＣＩメッセージにおける情報は、ブラインド復号によって抽出される、請求項２２に記載の装置。
［Ｃ２９］
無線通信のための装置であって、
第１および第２のダウンリンク制御情報（ＤＣＩ）フォーマットの第１のサイズを決定し、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定し、ここで、前記第３のＤＣＩフォーマットにおける情報ビット数が、前記第１のＤＣＩフォーマットにおける情報ビット数よりも多い、
前記第２のＤＣＩフォーマットのサイズを第２のサイズに一致するように調節し、第４のＤＣＩフォーマットを取得し、
前記第１、第２、第３、または第４のＤＣＩフォーマットのうちの１つを用いてＤＣＩメッセージを生成し、
前記ＤＣＩメッセージを送信する、ように構成された少なくとも１つのプロセッサと、
前記少なくとも１つのプロセッサに接続されたメモリと、を備える装置。
［Ｃ３０］
前記少なくとも１つのプロセッサはさらに、前記第２のＤＣＩフォーマットに１または複数のゼロ・ビットを加えるように構成された、請求項２９に記載の装置。
［Ｃ３１］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項２９に記載の装置。
［Ｃ３２］
前記第２のアップリンク動作は、クラスタ・アップリンク・リソース割当動作を備える、請求項２９に記載の装置。
［Ｃ３３］
前記第３のＤＣＩフォーマットは、単一のコードワードにおける前記第１のアップリンク動作と前記第２のアップリンク動作との両方についての情報を伝送する、請求項２９に記載の装置。
［Ｃ３４］
前記第１のサイズは、共通の探索空間にのみ存在し、前記第２のサイズは、ユーザ機器（ＵＥ）特有の探索空間においてのみ存在する、請求項２９に記載の装置。
［Ｃ３５］
前記第１のサイズは、共通の探索空間とユーザ機器（ＵＥ）特有の探索空間との両方に存在し、前記第２のサイズは、ＵＥ特有の探索空間においてのみ存在する、請求項２９に記載の装置。
［Ｃ３６］
無線通信のための装置であって、
ダウンリンク制御情報（ＤＣＩ）メッセージを受信し、
前記ＤＣＩメッセージにおける情報を抽出し、
前記抽出された情報を用いてアップリンク信号を送信する、ように構成された少なくとも１つのプロセッサと、
前記少なくとも１つのプロセッサに接続されたメモリとを備え、
前記ＤＣＩメッセージは、第１、第２、第３、または第４のＤＣＩフォーマットのうちの１つを用い、前記第１および第２のフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致され、前記第３のＤＣＩフォーマットにおける情報ビット数が、前記第１のＤＣＩフォーマットにおける情報ビット数よりも多い、装置。
［Ｃ３７］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項３６に記載の装置。
［Ｃ３８］
前記第２のアップリンク動作は、クラスタ・アップリンク・リソース割当動作を備える、請求項３６に記載の装置。
［Ｃ３９］
前記第３のＤＣＩフォーマットは、単一のコードワードにおける前記第１のアップリンク動作と前記第２のアップリンク動作との両方についての情報を伝送する、請求項３６に記載の装置。
［Ｃ４０］
前記第１のサイズは、共通の探索空間にのみ存在し、前記第２のサイズは、ユーザ機器（ＵＥ）特有の探索空間においてのみ存在する、請求項３６に記載の装置。
［Ｃ４１］
前記第１のサイズは、共通の探索空間とユーザ機器（ＵＥ）特有の探索空間との両方に存在し、前記第２のサイズは、ＵＥ特有の探索空間においてのみ存在する、請求項３６に記載の装置。
［Ｃ４２］
前記ＤＣＩメッセージにおける情報は、ブラインド復号によって抽出される、請求項３６に記載の装置。
［Ｃ４３］
格納された命令群を有するコンピュータ読取可能な媒体を備える、無線通信のためのコンピュータ・プログラム製品であって、
前記命令群は、１または複数のプロセッサによって実行可能であり、前記命令群は、
第１および第２のダウンリンク制御情報（ＤＣＩ）フォーマットの第１のサイズを決定するための命令群と、ここで、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送する、
単一のコードワードにおける第２のアップリンク動作に関する情報を伝送する第３のＤＣＩフォーマットの第２のサイズを決定するための命令群と、ここで、前記第３のＤＣＩフォーマットにおける情報ビット数は、前記第１のＤＣＩフォーマットにおける情報ビット数よりも多い、
前記第２のＤＣＩフォーマットのサイズを第２のサイズに合うように調節し、第４のＤＣＩフォーマットを取得するための命令群と、
前記第１、第２、第３、または第４のＤＣＩフォーマットのうちの１つを用いてＤＣＩメッセージを生成するための命令群と、
前記ＤＣＩメッセージを送信するための命令群と、を備えるコンピュータ・プログラム製品。
［Ｃ４４］
前記調節し、取得するための命令群は、前記第２のＤＣＩフォーマットに１または複数のゼロ・ビットを加えるための命令群を備える、請求項４３に記載のコンピュータ・プログラム製品。
［Ｃ４５］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項４３に記載のコンピュータ・プログラム製品。
［Ｃ４６］
前記第２のアップリンク動作は、クラスタ・アップリンク・リソース割当動作を備える、請求項４３に記載のコンピュータ・プログラム製品。
［Ｃ４７］
前記第３のＤＣＩフォーマットは、単一のコードワードにおける前記第１のアップリンク動作と前記第２のアップリンク動作との両方についての情報を伝送する、請求項４３に記載のコンピュータ・プログラム製品。
［Ｃ４８］
前記第１のサイズは、共通の探索空間にのみ存在し、前記第２のサイズは、ユーザ機器（ＵＥ）特有の探索空間においてのみ存在する、請求項４３に記載のコンピュータ・プログラム製品。
［Ｃ４９］
前記第１のサイズは、共通の探索空間とユーザ機器（ＵＥ）特有の探索空間との両方に存在し、前記第２のサイズは、ＵＥ特有の探索空間においてのみ存在する、請求項４３に記載のコンピュータ・プログラム製品。
［Ｃ５０］
格納された命令群を有するコンピュータ読取可能な媒体を備える、無線通信のためのコンピュータ・プログラム製品であって、
前記命令群は、１または複数のプロセッサによって実行可能であり、前記命令群は、
ダウンリンク制御情報（ＤＣＩ）メッセージを受信するための命令群と、
前記ＤＣＩメッセージにおける情報を抽出するための命令群と、
前記抽出された情報を用いてアップリンク信号を送信するための命令群とを備え、
前記ＤＣＩメッセージは、第１、第２、第３、または第４のＤＣＩフォーマットのうちの１つを用い、前記第１および第２のフォーマットは、第１のサイズを用い、前記第１のＤＣＩフォーマットは、単一のコードワードにおける第１のアップリンク動作に関する情報を伝送し、前記第２のＤＣＩフォーマットは、単一のコードワードにおける少なくとも１つのダウンリンク動作に関する情報を伝送し、第２のサイズを有する前記第３のＤＣＩフォーマットは、単一のコードワードにおける第２のアップリンク動作に関する情報を伝送し、前記第４のＤＣＩフォーマットは、前記第２のＤＣＩフォーマットに類似した情報を伝送し、前記第４のＤＣＩフォーマットのサイズが、前記第２のサイズに一致され、前記第３のＤＣＩフォーマットにおける情報ビット数が、前記第１のＤＣＩフォーマットにおける情報ビット数よりも多い、コンピュータ・プログラム製品
［Ｃ５１］
前記第１のＤＣＩフォーマットは、フォーマット０を備え、前記第２のＤＣＩフォーマットは、ロング・ターム・イボリューション（ＬＴＥ）規格におけるフォーマット１Ａを備える、請求項５０に記載のコンピュータ・プログラム製品。
［Ｃ５２］
前記第２のアップリンク動作は、クラスタ・アップリンク・リソース割当動作を備える、請求項５０に記載のコンピュータ・プログラム製品。
［Ｃ５３］
前記第３のＤＣＩフォーマットは、単一のコードワードにおける前記第１のアップリンク動作と前記第２のアップリンク動作との両方についての情報を伝送する、請求項５０に記載のコンピュータ・プログラム製品。
［Ｃ５４］
前記第１のサイズは、共通の探索空間にのみ存在し、前記第２のサイズは、ユーザ機器（ＵＥ）特有の探索空間においてのみ存在する、請求項５０に記載のコンピュータ・プログラム製品。
［Ｃ５５］
前記第１のサイズは、共通の探索空間とユーザ機器（ＵＥ）特有の探索空間との両方に存在し、前記第２のサイズは、ＵＥ特有の探索空間においてのみ存在する、請求項５０に記載のコンピュータ・プログラム製品。
［Ｃ５６］
前記ＤＣＩメッセージにおける情報は、ブラインド復号によって抽出される、請求項５０に記載のコンピュータ・プログラム製品。
【図１】
0005599890.tif 000002
【図２】
0005599890.tif 000003
【図３】
0005599890.tif 000004
【図４】
0005599890.tif 000005
【図５】
0005599890.tif 000006
【図６】
0005599890.tif 000007
【図７】
0005599890.tif 000008
【図８】
0005599890.tif 000009
【図９】
0005599890.tif 000010
【図１０】
0005599890.tif 000011
【図１１】
0005599890.tif 000012